(57)【要約】【課題】再生装置（カメラ装置）の操作性、使用性の向上。【解決手段】  記録媒体から再生した或る画像データを表示させて閲覧する際に、操作手段の操作（例えばジョグダイヤルのジョグ操作）によって、サムネイル表示などの一覧画像表示が行われるとともに（Ｆ１０４→Ｆ１０７）、そのままさらに操作手段が操作される（ジョグ操作される）ことによって、一覧画像表示上での選択中表示（カーソル表示）の移動が行われるようにする（Ｆ１０８→Ｆ１１２）。これにより、ユーザーが一覧画像表示への切換と、一覧画像表示上での画像選択（カーソル移動）を１つの操作手段の操作で連続的に実行できるようにする。【選択図】      図１１
2006140865.tif 000002
【特許請求の範囲】
【請求項１】
記録媒体から画像データを再生する再生手段と、
上記再生手段で再生された画像データを表示する表示手段と、
上記表示手段における表示状態を、１つの画像データの表示状態から画像の一覧表示を行う表示状態に切り換える指示を行う操作手段と、
上記記録媒体から再生された或る１つの画像データを上記表示手段で表示させている際に上記操作手段の操作が検出されることに応じて、上記表示手段で一覧画像表示を実行させるとともに、さらに上記操作手段の操作が検出されることに応じて、一覧画像表示上での選択中表示を移動させる制御を行う制御手段と、
を備えたことを特徴とする再生装置。
【請求項２】
上記操作手段は、回転操作が行われるようにした回転操作子であることを特徴とする請求項１に記載の再生装置。
【請求項３】
上記記録媒体は、さらにオーディオデータが記録されており、
上記制御手段は、上記再生手段に、第１のモード時には、上記記録媒体に対する画像データの再生を実行させ、第２のモード時には、上記記録媒体に対するオーディオデータの再生を実行させるとともに、
上記第２のモード時において上記操作手段の操作が検出された場合、上記表示手段でオーディオデータの一覧表示を実行させるとともに、さらに上記操作手段の操作が検出されることに応じて、オーディオデータの一覧表示上での選択中表示を移動させる制御を行うことを特徴とする請求項１に記載の再生装置。
【請求項４】
上記制御手段は、或る１つの画像データを上記表示手段で表示させている際に上記操作手段の操作が検出されて上記表示手段で一覧画像表示を実行させた場合、その操作の時点から一定時間経過後において、上記操作手段の操作が検出された場合に、一覧画像表示上での選択中表示を移動させる制御を行うことを特徴とする請求項１に記載の再生装置。
【請求項５】
上記制御手段は、或る１つの画像データを上記表示手段で表示させている際に上記操作手段の操作が検出されて上記表示手段で一覧画像表示を実行させた場合、その操作の後に、上記操作手段についての一定時間以上の操作未検出期間があった後において、上記操作手段の操作が検出された場合に、一覧画像表示上での選択中表示を移動させる制御を行うことを特徴とする請求項１に記載の再生装置。
【請求項６】
記録媒体から画像データの再生を行い、表示手段に表示させる表示制御方法として、
上記表示手段における表示状態を、１つの画像データの表示状態から画像の一覧表示を行う表示状態に切り換える指示を行う操作手段の操作を検出する操作検出ステップと、
上記記録媒体から再生された或る１つの画像データを上記表示手段で表示させている際に上記操作手段の操作が検出されることに応じて、上記表示手段で一覧画像表示を実行させる一覧画像表示ステップと、
上記表示手段で上記一覧画像表示が行われている際に上記操作手段の操作が検出されることに応じて、上記一覧画像表示上での選択中表示を移動させる選択中表示移動ステップと、
を備えたことを特徴とする表示制御方法。
【請求項７】
上記一覧画像表示ステップを実行するための上記操作手段の操作時点から一定時間経過後において、上記操作手段の操作が検出された場合に、上記選択中表示移動ステップの動作が実行されることを特徴とする請求項６に記載の表示制御方法。
【請求項８】
上記一覧画像表示ステップを実行するための上記操作手段の操作が検出された後、上記操作手段についての一定時間以上の操作未検出期間があった後において、上記操作手段の操作が検出された場合に、上記選択中表示移動ステップの動作が実行されることを特徴とする請求項６に記載の表示制御方法。
【発明の詳細な説明】
【技術分野】
【０００１】
本発明は、いわゆるデジタルスチルカメラ等の分野において実現される画像データの再生装置、及びその表示制御方法に関する。
【背景技術】
【０００２】
【特許文献１】特開２００２−３３３６６０号公報
【０００３】
ＣＣＤセンサ或いはＣＭＯＳセンサなどの固体撮像素子を用いて被写体の画像信号を得、これを撮像データとして記録媒体に記録するデジタルスチルカメラが普及している。
これらデジタルスチルカメラでは、撮像データ（写真データ）を記録する記録媒体としてフラッシュメモリを内蔵するメモリカードが用いられたり、或いは光ディスク、光磁気ディスク、或いは、ハードディスク（磁気ディスク）などのディスクメディアが用いられる。現在一般的であるＤＣＦ準拠のデジタルカメラの場合、これらの記録媒体において撮像データはＦＡＴシステム上でフォルダ分けされて記録される。
【発明の開示】
【発明が解決しようとする課題】
【０００４】
ところで近年、記録媒体の大容量化が促進され、記録媒体に格納できる撮像データの数も膨大なものとなりつつある。
一般にデジタルスチルカメラでは、撮像し記録媒体に記録した撮像データを、表示部に表示させて見ることができるようにされているが、記録された撮像データの数が多くなると、見たい撮像画像を見るためのユーザーの操作が面倒なものとなる。例えば通常、画像閲覧時は、ユーザは撮像した画像を１枚づつ順送り操作（又は逆送り操作）を行うことで表示させていくが、このような操作によって膨大な撮像データの中から見たい画像を探していくことは容易ではない。
そこで、記録媒体に記録された複数の撮像データをいわゆるサムネイル画像により一覧表示させることも行われている。
サムネイル画像上では、例えばカーソルを移動させて画像の選択を行っていき、カーソルによって或るサムネイル画像を選択中とした状態で、選択決定操作を行うと、そのサムネイル画像に対応する撮像データが表示画面上にフル画面表示させるようにすれば、多数の撮像データの中から見たい撮像データを探すことに便利となる。
このような一覧表示や、その際のカーソル移動などを考えた場合、ユーザーにとって、より快適な操作性が実現されることが望まれている。
【０００５】
また近年、電子機器の複合機能化が進む傾向にあり、デジタルスチルカメラとしての構成要素である撮像素子や回路構成の小型化も進んでいることで、デジタルスチルカメラとしての機能が例えば携帯電話機等に搭載されるなどの状況にある。
ここにおいて、例えば光ディスクに記録されたオーディオデータを再生する携帯用再生装置においても、カメラ機能を搭載するものが開発されている。
このようにオーディオ再生及びカメラ機能を備えた携帯用の複合装置などを考える場合、その機器の操作性が適切で、ユーザーが複数の機能をそれぞれ使いやすくすることが重要となる。特に小型携帯用の機器とされる場合で、多数の操作子を設けられない場合には、各種の機能で操作キー等が兼用されることが多いが、その兼用によってユーザーの操作機能の理解が困難になることも避けなければならない。
【０００６】
これらのことからカメラ装置において画像閲覧のための操作性の向上や、オーディオ・カメラ複合装置などにおいてユーザーに分かり易い操作性を実現することが求められている。
【課題を解決するための手段】
【０００７】
本発明はこのような課題に鑑み、カメラ装置やオーディオ再生機能を持つカメラ装置において実現される再生装置において、より快適な操作性、使用性を実現することを目的とする。
【０００８】
本発明の再生装置は、記録媒体から画像データを再生する再生手段と、上記再生手段で再生された画像データを表示する表示手段と、上記表示手段における表示状態を、１つの画像データの表示状態から画像の一覧表示を行う表示状態に切り換える指示を行う操作手段と、上記記録媒体から再生された或る１つの画像データを上記表示手段で表示させている際に上記操作手段の操作が検出されることに応じて、上記表示手段で一覧画像表示を実行させるとともに、さらに上記操作手段の操作が検出されることに応じて、一覧画像表示上での選択中表示を移動させる制御を行う制御手段とを備える。
例えば上記操作手段は、回転操作が行われるようにした回転操作子である。
また上記記録媒体は、さらにオーディオデータが記録されており、上記制御手段は、上記再生手段に、第１のモード時には、上記記録媒体に対する画像データの再生を実行させ、第２のモード時には、上記記録媒体に対するオーディオデータの再生を実行させるとともに、上記第２のモード時において上記操作手段の操作が検出された場合、上記表示手段でオーディオデータの一覧表示を実行させるとともに、さらに上記操作手段の操作が検出されることに応じて、オーディオデータの一覧表示上での選択中表示を移動させる制御を行う。
また上記制御手段は、或る１つの画像データを上記表示手段で表示させている際に上記操作手段の操作が検出されて上記表示手段で一覧画像表示を実行させた場合、その操作の時点から一定時間経過後において、上記操作手段の操作が検出された場合に、一覧画像表示上での選択中表示を移動させる制御を行う。
或いは上記制御手段は、或る１つの画像データを上記表示手段で表示させている際に上記操作手段の操作が検出されて上記表示手段で一覧画像表示を実行させた場合、その操作の後に、上記操作手段についての一定時間以上の操作未検出期間があった後において、上記操作手段の操作が検出された場合に、一覧画像表示上での選択中表示を移動させる制御を行う。
【０００９】
本発明の表示制御方法は、記録媒体から画像データの再生を行い、表示手段に表示させる表示制御方法として、上記表示手段における表示状態を、１つの画像データの表示状態から画像の一覧表示を行う表示状態に切り換える指示を行う操作手段の操作を検出する操作検出ステップと、上記記録媒体から再生された或る１つの画像データを上記表示手段で表示させている際に上記操作手段の操作が検出されることに応じて、上記表示手段で一覧画像表示を実行させる一覧画像表示ステップと、上記表示手段で上記一覧画像表示が行われている際に上記操作手段の操作が検出されることに応じて、上記一覧画像表示上での選択中表示を移動させる選択中表示移動ステップとを備える。
また、上記一覧画像表示ステップを実行するための上記操作手段の操作時点から一定時間経過後において、上記操作手段の操作が検出された場合に、上記選択中表示移動ステップの動作が実行されるようにする。
或いは、上記一覧画像表示ステップを実行するための上記操作手段の操作が検出された後、上記操作手段についての一定時間以上の操作未検出期間があった後において、上記操作手段の操作が検出された場合に、上記選択中表示移動ステップの動作が実行されるようにする。
【００１０】
以上の本発明では、例えば撮像によって記録した或る画像データを再生し、表示手段に表示させている際に、操作手段（例えば回転操作子）の操作によって、サムネイル表示などの一覧画像表示が行われるようになる。そしてさらに、そのまま上記操作手段（例えば回転操作子）が操作されることによっては、一覧画像表示上での選択中表示（例えばカーソル表示）の移動が行われる。
【発明の効果】
【００１１】
本発明によれば、次のような効果が得られる。
記録媒体から再生した或る画像データを表示させて閲覧する際に、操作手段（例えば回転操作子）の操作によって、サムネイル表示などの一覧画像表示が行われるとともに、そのままさらに操作手段（例えば回転操作子）が操作されることによって、一覧画像表示上での選択中表示（例えばカーソル表示）の移動が行われるため、ユーザーは一覧画像表示への切換と、一覧画像表示上での画像選択（カーソル移動）を１つの操作手段の操作で実行できる。例えば回転操作子であれば、回転操作を行うことで、一覧画像表示への切換と、その一覧画像表示上でのカーソル移動を一連の回転操作により連続的に実行できる。これによってユーザーにとっては所望の画像を探していくための操作が非常に容易になるという効果がある。
【００１２】
また、オーディオ再生機能を備える場合において、上記操作手段（例えば回転操作子）の操作を、オーディオデータの一覧表示のトリガとするとともに、その一覧表示上での選択中の移動（カーソル移動）の操作とする。これによって上記操作手段の操作は、第１のモード（カメラモード）でも第２のモード（オーディオモード）でも、同じような意味合いの操作となり、ユーザーが操作機能を理解し易く、操作性向上の観点から適切となる。また上記操作手段が、このように第１のモード時と第２のモード時で兼用されることで、複合機能機器としての操作子の削減効果も得られ、その上で操作の煩雑性を招かないため、小型携帯用の機器としても好適となる。
【００１３】
また上記制御手段は、或る１つの画像データを表示させている際に上記操作手段の操作が検出されて一覧画像表示を実行させた場合、その操作の時点から一定時間経過後において、上記操作手段の操作が検出された場合に、一覧画像表示上での選択中表示（カーソル）を移動させる。或いは上記制御手段は、上記操作手段の操作が検出されて一覧画像表示を実行させた場合、その操作の後に、上記操作手段についての一定時間以上の操作未検出期間があった後において、上記操作手段の操作が検出された場合に、一覧画像表示上での選択中表示（カーソル）を移動させる制御を行う。
つまり、一覧画像表示に切り換えられた場合に、一定時間経過、或いは一定時間以上の操作未検出期間があるという条件をもって、操作手段の操作を選択中表示の移動操作とすることで、ユーザーの予期しないカーソル移動が防止され、より操作性が向上される。例えば回転操作子の場合に、必要以上に回しすぎて、一覧画像表示に切り替えられた瞬間にカーソルが進んでしまうといったことがなくなる。
【発明を実施するための最良の形態】
【００１４】
以下、本発明の再生装置及び表示制御方法の実施の形態として、携帯型のオーディオプレーヤ及びカメラの複合機能を備えた装置を説明する。この例のオーディオ・カメラ複合装置は、光ディスクを記録媒体としてオーディオデータの再生を行い、また撮像した静止画データ（撮像データ）を光ディスクに記録し、再生できるものとする。説明は次の順序で行う。
［１．オーディオ・カメラ複合装置の外観構成］
［２．オーディオ・カメラ複合装置の内部構成］
［３．集中コントローラの操作機能］
［４．動作状態遷移］
［５．ファイル管理形態］
［６．停止状態での動作］
［７．再生状態での動作］
［８．写真閲覧状態での動作例Ｉ］
［９．写真閲覧状態での動作例II］
［１０．写真閲覧状態での動作例III］
［１１．実施の形態の効果及び変形例］
【００１５】
［１．オーディオ・カメラ複合装置の外観構成］
図１（ａ）（ｂ）（ｃ）（ｄ）（ｅ）（ｆ）に、本例のオーディオ・カメラ複合装置１の正面図、平面図、左側面図、右側面図、底面図、背面図を示す。
このオーディオ・カメラ複合装置１の筐体は、上部筐体２と下部筐体３から成り、上部筐体２は下部筐体３に対して開閉される構造を採っている。詳細な機構の説明は省略するが図１（ｅ）に示す開閉操作子１６を操作することで、上部筐体２が開かれた状態となり、いわゆるミニディスク方式のディスクの装填機構が表出する。そしてディスクが装填された状態で上部筐体２を閉じることで、筐体内部でディスクに対する情報の記録又は再生が実行される。
このオーディオ・カメラ複合装置１は、ディスクを装填することにより、そのディスクに記録されているオーディオデータ（楽曲等）の再生を行うことができ、携帯用のオーディオプレーヤとして機能する。またディスクに対して撮像データの記録再生を行うことができ、デジタルスチルカメラとしても機能することになる。
なお、以下では、オーディオプレーヤとして機能する動作状態をオーディオモード、デジタルスチルカメラとして機能する動作状態をカメラモードと言う。
【００１６】
図１（ａ）のように筐体正面には、例えば液晶パネル等による表示部４が設けられている。この表示部４には、オーディオモード時には、光ディスクに記録されたオーディオデータの選択のための一覧や操作メニュー、再生中のトラックナンバ、進行時間や総演奏時間などの時間情報、操作ガイド、或いはアルバムジャケット画像、スライドショウ画像、サムネイル画像などが表示される。
またカメラモードの場合は、撮像スタンバイ状態にあるときは、その際に撮像素子で取り込まれている被写体画像（実動画）や、シャッタ操作した時点で撮像された静止画像（写真画像）が表示され、また写真閲覧状態にあるときは、過去に撮像した写真（光ディスクに記録された撮像データ）の再生画像やサムネイル画像が表示される。
【００１７】
また筐体上の所定位置には各種の操作子が設けられている。
図１（ａ）に示すように筐体正面には操作子として、集中コントローラ５，メニューキー６，ストップ／キャンセルキー７、スライドショウキー８、ディスプレイキー９が設けられる。また図１（ｂ）に示すように筐体上面にはカメラオン／オフキー１０、シャッタボタン１１が設けられる。また図１（ｄ）に示すように筐体側面にはボリュームキー１２，ダウンロードキー１３，ホールドスイッチ１４が設けられる。
集中コントローラ５は、オーディオモード、カメラモードのいずれの場合も主たる操作を行う操作子とされる。この集中コントローラ５の操作機能については図４により後述する。
メニューキー６は、表示部４における操作メニュー表示のオン／オフ操作のためのキーとされる。
ストップ／キャンセルキー７は、再生動作の停止や各種キャンセル操作のためのキーとされる。
スライドショウキー８はスライドショウとして、例えばオーディオ再生時の画像データ表示動作を指示するキーとされる。
ディスプレイキー９は、表示部４における表示モード、表示内容等を切り換えるためのキーとされる。
カメラオン／オフキー１０については後にも述べるが、カメラモードの起動及びカメラモードの終了を指示するキーとされる。
シャッタボタン１１は、カメラモードにおいて撮像タイミングを指示するキーである。シャッタボタン１１により写真画像の撮像が行われる。
ボリュームキー１２は、オーディオ再生時の音量調整キーである。
ダウンロードキー１３は、例えば当該オーディオ・カメラ複合装置１をパーソナルコンピュータに接続した場合などにおいて、データのダウンロードを実行させるためのキーである。
ホールドスイッチ１４は、携帯時等の誤操作をなくすために、各操作子のキーの無効化（ホールド状態）を設定するスライド操作子である。
【００１８】
図１（ｅ）のように筐体前面には、ＵＳＢ端子３が設けられ、ＵＳＢ方式のインターフェースで例えばパーソナルコンピュータ等と接続することが可能とされている。
図１（ｃ）のように筐体側面にはヘッドホン／リモコン端子１８が形成され、リモートコントローラ付きのヘッドホンが接続される。
図１（ｄ）のように筐体側面にはバッテリーボックス開閉部１９が設けられ、このバッテリーボックス開閉を開くことで、バッテリーの挿入／取り出しが可能となる。
【００１９】
図１（ｆ）のように筐体背面側には、スライド操作可能なレンズカバー１５が設けられている。レンズカバー１５は、撮像レンズの保護のために設けられる。
図２（ａ）（ｂ）に、レンズカバー１５のスライドによる開閉状態を示す。
レンズカバー１５は、図２（ａ）のような閉状態と、図２（ｂ）のような開状態とにスライド可能とされている。図２（ｂ）の開状態とすることで、撮像レンズ部１９が表出され、カメラ撮像が可能な状態となる。また図２（ａ）の閉状態では、撮像レンズ部１９が遮蔽され、レンズが保護される状態となる。
本例では、レンズカバー１５のスライド操作が、動作状態遷移を指示する操作ともなる。
【００２０】
［２．オーディオ・カメラ複合装置の内部構成］
図３によりオーディオ・カメラ複合装置１の内部構成を説明する。
ＣＰＵ３０は装置全体の制御部として機能し、オーディオモードでの再生動作やカメラモードでの撮像動作や画像再生動作や、表示部４の表示動作などのための制御、ユーザー操作の検知、動作状態の遷移処理、外部機器との通信制御などを行う。ＣＰＵ３０はバス５０を介して各部とデータや制御情報のやりとりを行う。
ＲＡＭ３１は、ＣＰＵ３１が演算のワーク領域として用いたり、動作中の情報の記憶に用いる。
ＲＯＭ３２は、ＣＰＵ３１が実行するプログラムや各種処理係数などが記憶される。
不揮発性メモリ３３（ＮＶ−ＲＡＭやフラッシュＲＯＭ）は、各種係数、設定情報、リジュームポイント（再生停止時のアドレス）、その他、電源オフ時にも保持しておくべき情報の記憶に用いられる。
【００２１】
メディアドライブ部３４は、ＣＰＵ３０の制御に基づいて、ディスク９０、例えばミニディスク方式の光ディスク（又は光磁気ディスク）に対する記録再生を行う。このため、ディスク９０に記録すべきデータについての記録フォーマットへのエンコード部、ディスク９０からの再生データのデコード部、記録再生ヘッド、サーボ機構、スピンドルモータ機構などを備える。
バッファメモリ３５は例えばＳＤ−ＲＡＭにより構成され、このバッファメモリ３５では、メディアドライブ部３４に転送してディスク９０に記録させるデータのバッファリングや、メディアドライブ部３４でディスク９０から読み出されたデータのバッファリングが行われる。
また、ディスク９０に記録された管理情報、即ちデータの記録再生動作のために必要なディスク９０の物理情報、エリア情報、記録されたデータファイル情報などは、ディスク９０が装填された際に、ＣＰＵ３０の指示によってメディアドライブ部３４によって読み出されるが、これらの管理情報はバッファメモリ３５はの一部領域に格納され、ＣＰＵ３０が参照できるようにされる。なおＣＰＵ３０は、バッファメモリ３５に格納した管理情報をＲＡＭ３１に取り込んで参照するようにしてもよい。
メモリインターフェース３６は、バッファメモリ３５に格納されるデータの転送処理やバッファメモリ内の書込／読出アドレスの制御処理を行う。
【００２２】
圧縮エンコード／デコード部３７は、例えばＡＴＲＡＣなどの圧縮方式でオーディオデータの圧縮エンコードや圧縮に対するデコードを行う。
圧縮エンコード／デコード部３７でデコード処理されることで例えばリニアＰＣＭデータとされたオーディオデータは、Ｄ／Ａ変換器４７でアナログオーディオ信号に変換され、ヘッドホンアンプ４８に供給される。ヘッドホンアンプ４８では、増幅処理、インピーダンス調整処理などを行い、オーディオ信号をヘッドホン端子４９に供給する。
ヘッドホン端子４９は、図１（ｃ）のヘッドホン／リモコン端子１８におけるヘッドホン端子部分であり、接続されたリモートコントローラ付きのヘッドホンにおいて再生音声が出力されることになる。
【００２３】
なお、図示していないが、例えばライン入力、マイクロホン入力、デジタルオーディオ入力などの入力系が設けられてアナログオーディオ信号又はデジタルオーディオデータが入力される場合、入力されたオーディオ信号は例えばデジタルオーディオデータ形態で圧縮エンコード／デコード部３７に供給され、圧縮エンコードされるようにする。そして圧縮エンコードされたデータがバッファメモリ３５を介してメディアドライブ部３４に転送され、ディスク９０に記録されるようにすることで、オーディオ録音機能を実現することができる。
また、例えばパーソナルコンピュータ等と接続され、オーディオデータがダウンロードされる場合に、該データを圧縮エンコード／デコード部３７で圧縮エンコード処理を行う場合もある。
【００２４】
ＵＳＢインターフェース３９は、ＵＳＢ端子１７を介して接続されるパーソナルコンピュータ等の機器との間のデータ転送処理を行う。
シリアルインターフェース４０は、後述するカメラ／ＬＣＤブロックとの間のデータ入出力処理を行う。
Ａ／Ｄポート４１は、各種ユーザー操作を検出し、Ａ／Ｄ変換値を操作情報としてＣＰＵ３０に供給する。操作キー４４とは、上述した集中コントローラ５，メニューキー６，ストップ／キャンセルキー７、スライドショウキー８、ディスプレイキー９、カメラオン／オフキー１０、シャッタボタン１１、ボリュームキー１２，ダウンロードキー１３を指し、Ａ／Ｄポート４１はこれらの操作子の操作情報を所定の値でＣＰＵ３０に伝える。
また、リモコン端子４６は、図１（ｃ）のヘッドホン／リモコン端子１８におけるリモコン端子部分であり、接続されたヘッドホンに設けられたリモートコントローラからの操作情報がＡ／Ｄポート４１によって検出され、所定の値としてＣＰＵ３０に伝えられる。
シリアルインターフェース４２は、ＣＰＵ３０が指示する表示データをリモコン端子４６からリモートコントローラに供給する。ヘッドホンに設けられたリモートコントローラには表示部が形成されており、その表示部においては、シリアルインターフェース４２を介してＣＰＵ３０から供給された表示制御情報に基づく表示動作が行われる。
【００２５】
ＤＳＰインターフェース４３は、ＣＰＵ３０、ＵＳＢインターフェース３９等のバス５０上の各部と圧縮エンコード／デコード部３７でのデータや制御情報の転送を行う。
ホールドキー１４の操作は、ＣＰＵ３０によって検出される。ＣＰＵ３０はホールドキー１４によってキーの無効化操作がなされている場合、Ａ／Ｄポート４１を介して供給される操作キー４４による操作情報を無効なものとして扱う。
【００２６】
カバー連動スイッチ４５は、レンズカバー１５の開閉に応じてオン／オフが切り換えられるスイッチであり、レンズカバー１５の開閉の検出部として機能する。ＣＰＵ３０はカバー連動スイッチ４５のオン／オフ状態を検知することで、レンズカバー１５が開状態にあるか閉状態にあるかを知ることができる。
【００２７】
カメラ／ＬＣＤブロック３８は、撮像処理系及び表示部４を含む表示処理系としての部位である。
撮像処理系としては、上述した撮像レンズ部１９によって入射される被写体光を検出するＣＣＤセンサ或いはＣＭＯＳセンサ等の固体撮像素子部、固体撮像素子から画素信号を転送し、ゲイン調整やＡ／Ｄ変換を行う撮像信号転送回路、撮像信号転送回路によって得られた撮像画像データに対するホワイトバランス、Ｙ／Ｃ処理等を行うデジタル処理系、撮像画像データに対して圧縮処理やフォーマット処理等を行うエンコード系などが設けられる。
また表示処理系としては、表示部４としてのＬＣＤに表示すべき画像、文字、キャラクタ等を形成する表示画像処理部、表示画像に基づいてＬＣＤを駆動する表示駆動回路などが設けられる。
【００２８】
このようなオーディオ・カメラ複合装置では、オーディオモードでは、ディスク９０に記録されたオーディオデータの再生が行われる。
ユーザーが操作キー４４又はリモートコントローラを用いて再生操作を行った場合、ＣＰＵ３０はメディアドライブ部３４を制御して、ディスク９０のオーディオファイル（オーディオトラック）の再生を実行させる。
メディアドライブ部３４で再生されたオーディオデータは、バッファメモリ３５に蓄積された後、順次読み出されて圧縮エンコード／デコード部３７に転送され、デコードされる。そしてＤ／Ａ変換器４７でアナログオーディオ信号とされ、ヘッドホンアンプ４８の処理を介して接続されたヘッドホンから音声出力される。
このオーディオモードの際には、カメラ／ＬＣＤブロック３８における表示部４及び表示処理系では、ＣＰＵ３０の制御に基づいて、再生メニュー（曲名等の一覧表示）、再生中の曲名、アーティスト名、時間情報、ジャケット画像、スライドショウ画像などの表示動作を実行する。
【００２９】
カメラモードの場合において、撮像スタンバイ状態にあるときは、ＣＰＵ３０はカメラ／ＬＣＤブロック３８を制御して、被写体画像の取り込み、画像信号処理や、表示部４での被写体画像（実動画）の表示を実行させる。
その状態でユーザーがシャッタボタン１１を押したら、ＣＰＵ３０は、その時点の被写体画像（静止画）を撮像データとして記録する制御を行う。つまり、そのシャッタ操作時の１フレームの画像データを、バッファメモリ３５を介してメディアドライブ部３４に記録データとして供給する。
メディアドライブ部３４はディスク９０に対して、１つの写真画像ファイルとして撮像データを記録する。
カメラモードにおいて写真閲覧状態にあるときは、ＣＰＵ３０はメディアドライブ部３４にディスク９０に記録されている写真画像ファイルのデータの読出を行う。読み出された画像データはバッファメモリ３５を介して、カメラ／ＬＣＤブロック３８に転送され、表示部４に表示される。
なお、写真画像データは１枚づつ表示部４に表示される場合と、サムネイル画像として多数の画像が一覧表示される場合がある。ＣＰＵ３０はユーザーの操作に応じて１枚表示とサムネイル表示を切り換えるように制御する。
【００３０】
［３．集中コントローラの操作機能］
集中コントローラ５の操作機能について図４で説明する。集中コントローラ５は、カメラモードとオーディオモードで別の操作機能が与えられている兼用操作子である。
図４（ａ）に集中コントローラ５の操作態様を示す。
集中コントローラ５は、まずその中央部を押圧するプッシュ操作が可能とされている。
また中央の周囲の４隅もそれぞれ押圧可能とされ、その上下左右の押圧が、アップ操作、ダウン操作、レフト操作、ライト操作とされる。
さらに集中コントローラ５の外周部分はいわゆるジョグダイヤルとして回転可能に形成されており、右回り或いは左回りのジョグ操作が可能とされている。
【００３１】
これら各操作の操作機能を図４（ｂ）に示す。
まずオーディオモードとされているときの操作機能を説明する。
プッシュ操作は、再生及び一時停止操作、決定（エンター）操作、ブックマーク設定／解除操作となる。
例えば電源オフのスリープ状態や停止状態からプッシュ操作が行われることで、ＣＰＵ３０はそれは再生操作と認識し、再生開始制御を行う。この場合、例えばメニュー画面上などにおいて再生するトラック（例えば曲としてのデータファイル）が選択されていれば、そのトラックの再生を開始させ、また選択されていなければ、ディスク９０における最初のトラックの再生を開始させる。さらに、リジュームポイントとして特定のアドレスが記憶されていれば、ＣＰＵ３０は該リジュームポイントとしてのアドレスからディスク９０の再生を実行させる。
また再生動作中にプッシュ操作が行われた場合、ＣＰＵ３０はそれを一時停止（ポーズ）操作とし、再生音声の出力を一時停止させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
また、再生中や一時停止中などに、例えば２秒などの所定時間以上の長押しとしてプッシュ操作が行われた場合は、ＣＰＵ３０はそれをブックマーク設定操作とし、再生位置としてのブックマーク設定を行う。またブックマーク設定箇所において同じく長押しプッシュ操作が行われた場合は、ブックマーク設定を解除する。
【００３２】
ジョグ操作はトラック一覧表示へのトリガ、及びカーソル移動操作となる。
例えばユーザーがジョグ操作を行うと、ＣＰＵ３０は表示部４にトラック一覧表示を行う。さらに、ジョグ操作は連続的に、トラック一覧表示上でのカーソル移動操作とされる。例えばユーザーは、再生させる曲を選択したい場合、ジョグ操作によって所望の曲を選択できる。トラック一覧表示上でカーソルを所望の曲名上に移動させた後、プッシュ操作を行えば、それが選択の決定及び再生操作となる。
【００３３】
レフト操作は、ＦＲ操作（戻り方向頭出し）操作及びレビュー操作（早戻し再生）となる。即ち単押しとしてのレフト操作が、戻り方向のトラック先頭位置へのアクセス操作となり、継続押しとしてのレフト操作が、早戻し再生の操作となる。
ライト操作は、ＦＦ操作（再生進行方向頭出し）操作及びキュー操作（早送り再生）となる。即ち単押しとしてのライト操作が、再生進行方向のトラック先頭位置へのアクセス操作となり、継続押しとしてのライト操作が、早送り再生の操作となる。
【００３４】
アップ操作は、＋方向のフォルダ移動操作（フォルダジャンプ操作）及びカーソル移動操作となる。ディスク９０には、多数のオーディオトラック（ファイル）がフォルダにまとめられて管理され、またフォルダも複数持つことができる。アップ操作によっては、フォルダ単位の指定状態の移動が行われる。
またメニュー表示やトラック一覧表示がなされている場合においては、アップ操作はカーソルを上方に移動させる操作となる。
ダウン操作は、−方向のフォルダ移動操作（フォルダジャンプ操作）及びカーソル移動操作となる。ダウン操作によっては、上記アップ操作とは逆方向にフォルダ単位の指定状態の移動や、メニュー表示やトラック一覧表示上でのカーソル下方移動が行われる。
【００３５】
カメラモードとされているときの操作機能は次のようになる。
プッシュ操作は、クイックレビュー操作や各種の決定（エンター）操作となる。
例えば撮像スタンバイ状態で撮像が行われた後などにプッシュ操作が行われると、ＣＰＵ３０はそれをクイックレビュー操作とし、直前に撮像した画像データの表示など過去に撮像しディスク９０に記録した画像の表示を実行させる。また、サムネイル画像表示中にプッシュ操作が行われると、ＣＰＵ３０は、その際にカーソルで選択されている画像データの選択決定操作と認識し、その画像データの１枚表示を実行させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
【００３６】
ジョグ操作はサムネイル表示へのトリガ、及びカーソル移動操作となる。
例えば写真閲覧状態において１枚の写真画像が表示部４に表示されている際にジョグ操作が行われると、ＣＰＵ３０はそれはサムネイル表示（一覧画像表示）へのトリガ操作と認識し、表示部４にサムネイル画像表示を実行させる制御を行う。
さらに、ジョグ操作は連続的に、サムネイル表示上でのカーソル移動操作とされる。例えばユーザーは、ジョグ操作によって所望の画像を選択できる。そして所望のサムネイル画像にカーソルを移動させた後、プッシュ操作を行えば、それが画像の選択決定操作となり、該選択された画像の一枚表示が行われる。
またメニュー表示等が行われている場合、ジョグ操作はその回転方向に応じたカーソル移動操作とされる。
【００３７】
レフト操作は、セルフタイマー切換操作及びカーソル移動操作となる。つまりレフト操作によってセルフタイマー機能の切換が行われ、またサムネイル画像表示中などではカーソルの左方向移動が行われる。
ライト操作は、フラッシュ切換操作及びカーソル移動操作となる。つまりライト操作によってフラッシュ機能の切換が行われ、またサムネイル画像表示中などではカーソルの右方向移動が行われる。
アップ操作は、マクロ切換、カーソル移動操作、及び＋方向のフォルダ移動操作（フォルダジャンプ操作）となる。つまりアップ操作によって、マクロ機能の切換が行われ、またサムネイル画像表示中などではカーソルの上方向移動が行われる。またディスク９０には、多数の撮像データとしてのファイルがフォルダにまとめられて管理され、またフォルダも複数持つことができる。アップ操作によっては、フォルダ単位の指定状態の移動が行われる。例えば一枚画像表示中にアップ操作が行われると、これがフォルダジャンプ操作となり、表示している画像データの画像データフォルダから次の画像データフォルダを指定し表示する動作が行われる。
ダウン操作は、ジャケット写真モード切換、画サイズ切換、カーソル移動操作、及び−方向のフォルダ移動操作（フォルダジャンプ操作）となる。つまりダウン操作によって、ジャケット写真モードの切換が行われ、画サイズとしての１２８０×９６０、６４０×４８０などの各種モードの切換が行われる。またサムネイル画像表示中などではカーソルの下方向移動が行われる。また一枚画像表示中などに現在の画像データフォルダの前の画像データフォルダを指定する状態に切り換えられる。
【００３８】
［４．動作状態遷移］
本例では、オーディオ・カメラ複合装置において各種動作状態の遷移のための操作としてレンズカバー１５の開閉を利用している。レンズカバー１５の開閉を含めた動作状態の遷移について図５で説明する。
【００３９】
本例において動作状態とは、大きく分けてオーディオモードとカメラモードがある。
そしてオーディオモードにおいては、スリープ状態、停止状態、再生状態という各動作状態がある。
またカメラモードにおいては、撮像スタンバイ状態と写真閲覧状態という各動作状態がある。
スリープ状態とは、装置の主電源がオフとされている状態である。この場合ＣＰＵ３０にはスリープ用の電源電圧が供給され、例えばユーザー操作の検出や時刻計数など、最低限必要とされる処理のみを行っている。
停止状態とは、装置の主電源がオンとされているがオーディオ再生が行われていない状態である。
再生状態とは、オーディオ再生が実行されている状態もしくは再生が一時停止されている状態である。
撮像スタンバイ状態とは、表示部４に被写体の画像が表示され、シャッタボタン１１によって撮像（画像データ記録）が実行できる状態である。
写真閲覧状態とは、ディスク９０に記録された撮像画像データを再生し、１枚表示又はサムネイル表示として表示部４に表示させる状態である。
ＣＰＵ３０は、これらの各動作状態（動作モード）を、図５のＳ１〜Ｓ２１で示す各操作又は条件に応じて以下のように遷移させる。
【００４０】
＜Ｓ１：スリープ状態でのカメラオン／オフキー１０の操作＞
スリープ状態にあるときにカメラオン／オフキー１０が操作されたら、ＣＰＵ３０はカメラモードを起動させる。但し、このカメラオン／オフキー１０が操作されたときにレンズカバー１５が開状態であれば、撮像スタンバイ状態でカメラモードを起動する。
＜Ｓ２：スリープ状態のときにレンズカバー１５が開けられる＞
スリープ状態にあるときに、レンズカバー１５が開けられたら、ＣＰＵ３０はカメラモードを起動させ撮像スタンバイ状態とする。
＜Ｓ３：スリープ状態でのカメラオン／オフキー１０の操作＞
上記Ｓ１の場合のようにスリープ状態にあるときにカメラオン／オフキー１０が操作されたらＣＰＵ３０はカメラモードを起動させるが、このカメラオン／オフキー１０が操作されたときにレンズカバー１５が閉状態であれば、写真閲覧状態でカメラモードを起動する。
＜Ｓ４：スリープ状態からのウェイクアップ系操作＞
スリープ状態にあるときに、ウェイクアップ系操作が行われたら、ＣＰＵ３０はオーディオモードで主電源オンとし、停止状態とする。ウェイクアップ系操作とは、メニューキー６，ディスプレイキー９などの再生動作を伴わない操作を言う。
＜Ｓ５：スリープ状態からの再生操作＞
スリープ状態にあるときに、集中コントローラのプッシュ操作、即ち再生操作が行われたら、ＣＰＵ３０はオーディオモードで主電源オンとし、再生状態とする。つまり再生動作を開始させる。
【００４１】
＜Ｓ６：停止状態でのカメラオン／オフキー１０の操作＞
停止状態にあるときにカメラオン／オフキー１０が操作されたら、ＣＰＵ３０はオーディオモードからカメラモードに切り換える。但し、このカメラオン／オフキー１０が操作されたときにレンズカバー１５が開状態であれば、撮像スタンバイ状態でカメラモードを起動する。
＜Ｓ７：停止状態のときにレンズカバー１５が開けられる＞
停止状態にあるときに、レンズカバー１５が開けられたら、ＣＰＵ３０はカメラモードに切り換え、撮像スタンバイ状態とする。
＜Ｓ８：停止状態でのカメラオン／オフキー１０の操作＞
上記Ｓ６の場合のように停止状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ９：停止状態でのタイムアウト＞
ＣＰＵ３０は、停止状態において、操作がなされないまま所定時間（例えば３分など）経過したら、タイムアウトとして主電源をオフとしスリープ状態に移行する。
＜Ｓ１０：停止状態からの再生操作＞
停止状態にあるときに、集中コントローラのプッシュ操作、即ち再生操作が行われたら、ＣＰＵ３０は再生状態に移行する。つまり再生動作を開始させる。
【００４２】
＜Ｓ１１：再生状態でのカメラオン／オフキー１０の操作＞
再生状態にあるときにカメラオン／オフキー１０が操作されたら、ＣＰＵ３０は再生を停止させ、オーディオモードからカメラモードに切り換える。但し、このカメラオン／オフキー１０が操作されたときにレンズカバー１５が開状態であれば、撮像スタンバイ状態でカメラモードを起動する。
＜Ｓ１２：再生状態のときにレンズカバー１５が開けられる＞
再生状態にあるときに、レンズカバー１５が開けられたら、ＣＰＵ３０は再生を停止させてカメラモードに切り換え、撮像スタンバイ状態とする。
＜Ｓ１３：再生状態でのカメラオン／オフキー１０の操作＞
上記Ｓ１１の場合のように再生状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ１４：再生状態での停止操作＞
ＣＰＵ３０は、再生状態において、ストップ／キャンセルキー７が操作されたら、再生を終了させ、停止状態に移行する。
＜Ｓ１５：再生終了＞
オーディオデータの再生が終了したら、ＣＰＵ３０は停止状態に移行させる。
【００４３】
＜Ｓ１６：撮像スタンバイ状態のときにレンズカバー１５が閉じられる＞
撮像スタンバイ状態にあるときに、レンズカバー１５が閉じられたら、ＣＰＵ３０は写真閲覧状態に切り換える。
＜Ｓ１７：撮像スタンバイ状態でのカメラオン／オフキー１０の操作＞
撮像スタンバイ状態にあるときにカメラオン／オフキー１０が操作されたら、ＣＰＵ３０はカメラモードを終了させて主電源をオフとし、スリープ状態に移行する。
＜Ｓ１８：撮像スタンバイ状態でのタイムアウト＞
ＣＰＵ３０は、撮像スタンバイ状態において、操作がなされないまま所定時間（例えば３分など）経過したら、タイムアウトとして主電源をオフとしスリープ状態に移行する。
【００４４】
＜Ｓ１９：写真閲覧状態のときにレンズカバー１５が開けられる＞
写真閲覧状態にあるときに、レンズカバー１５が開けられたら、ＣＰＵ３０は撮像スタンバイ状態に切り換える。
＜Ｓ２０：写真閲覧状態でのカメラオン／オフキー１０の操作＞
写真閲覧状態にあるときにカメラオン／オフキー１０が操作されたら、ＣＰＵ３０はカメラモードを終了させて主電源をオフとし、スリープ状態に移行する。
＜Ｓ２１：写真閲覧状態でのタイムアウト＞
ＣＰＵ３０は、写真閲覧状態において、操作がなされないまま所定時間（例えば３分など）経過したら、タイムアウトとして主電源をオフとしスリープ状態に移行する。
【００４５】
以上のようにＣＰＵ３０はユーザーの操作や条件に応じて動作状態を切り換える。
【００４６】
［５．ファイル管理形態］
ここでディスク９０に記録される撮像データやオーディオデータの管理形態について説明しておく。
ディスク９０においては、記録データは例えばＦＡＴファイルシステムにより管理される。
図６に示すようにＦＡＴファイルシステムのルートには、ＤＣＩＭディレクトリ、ＨｉＦｉディレクトリが配置される。
【００４７】
デジタルカメラシステムにおける静止画像（撮像データ）は、ＪＥＩＤＡ規格のカメラファイルシステム規格（Design rule for Camera File system：ＤＣＦ規格）に準拠して管理され、このＤＣＦ規格では、ルートにＤＣＩＭディレクトリがおかれることが規定されている。
そしてＤＣＩＭディレクトリには、最大９９９個のフォルダＣＦ１，ＣＦ２・・・をおくことができる。説明上の区別のため、ＤＣＩＭディレクトリ内のフォルダＣＦ１，ＣＦ２・・・を「画像データフォルダ」と呼ぶこととする。
各画像データフォルダＣＦ内には、最大９９９９枚の静止画像（撮像データ）を格納できると規定されているが、その最大数の設定は、設計上の都合により任意である（９９９９枚以下であればよい）。
図６では、画像データフォルダＣＦ１に含まれる撮像データのファイルを、ＤＴｃ１０１、ＤＴｃ１０２・・・として示している。
また各ファイルＤＴｃ１０１・・・には、それぞれ実際の撮像データとともに、ヘッダ情報やサムネイルデータが含まれているが、さらに、各ファイルのサムネイルデータを集めたサムネイルファイルが１又は複数個生成され、画像データフォルダＣＦ１内に配置される。ファイルＴＭ１０１、ＴＭ１０２は、サムネイルファイルを示している。１つのサムネイルファイルには、例えば最大１００枚のサムネイル画像が格納されるように設定される。
他の画像データフォルダＣＦ２，ＣＦ３・・・についても同様の構造となる。
【００４８】
ＨｉＦｉディレクトリによっては、ミニディスクシステムとしてのオーディオデータが管理される。このＨｉＦｉディレクトリには、トラックインデックスファイルとオーディオデータファイルが配される。
オーディオデータファイルは、実際のオーディオデータとしてのトラックや各種フリンジ情報などが含まれ、それらの実データがトラックインデックスファイル内の管理情報によって管理される。
トラックインデックスファイルによる管理構造についての、ここでの詳述は避けるが、多数のオーディオデータとしてのトラックが、１又は複数のグループに分けられて管理される。グループとは、例えばアルバム毎、アーティスト毎、或いはユーザー設定などの区分となる。例えば破線内として示すように、グループＡＧ１，ＡＧ２・・・としての管理構造が形成され、各グループには１又は複数のトラックやフリンジ情報が含まれるものとなる。図６では、例えばグループＡＧ１にオーディオデータとしてのトラックＴＫ１，ＴＫ２，ＴＫ３やフリンジ情報ＦＧ１が含まれる状態となっていることを示している。
なお、説明上、上述した画像データフォルダとの区別のため、グループＡＧ１，ＡＧ２・・・を、「オーディオデータフォルダ」と呼ぶこととする。
【００４９】
なお、本実施の形態ではミニディスクシステムを例に挙げているため、トラックインデックスファイルによる管理形態が、直接的にオーディオデータを格納したフォルダ構造を採るものではないが、例えばルート下の或るディレクトリから複数のオーディオデータフォルダが示され、そのオーディオデータフォルダ内に１又は複数のオーディオデータファイル（トラック）が配置される形態を採るものであってもよい。
【００５０】
［６．停止状態での動作］
図５で述べた各動作状態の内、オーディオモードの停止状態においてユーザーの操作に応じて行われる動作を図７に示す。図７では、ユーザーの操作に応じた動作をＳ３１〜Ｓ３９で示している。
停止状態では、図示するように「停止中」「フォルダ内トラック一覧」「フォルダ一覧」という各状態がある。
いずれもオーディオ再生動作に関しては行われていない状態であるが、「停止中」は表示部４において停止時の通常の表示が行われている状態、「フォルダ内トラック一覧」は表示部４において、現在選択されているオーディオデータフォルダＡＧ（ｘ）に含まれるトラックが一覧表示されている状態、「フォルダ一覧」は表示部にオーディオデータフォルダＡＧ１、ＡＧ２・・・が一覧表示されている状態を、それぞれ示している。
【００５１】
＜Ｓ３１：停止中のレフト操作／ライト操作＞
停止中にレフト操作／ライト操作が行われた場合、ＣＰＵ３０は、それを或るオーディオデータフォルダ内で選択中であるトラックについてのトラックジャンプ操作として処理する。レフト操作は前トラックへのジャンプ、ライト操作は次トラックへのジャンプとなる。例えば図６に示したオーディオデータフォルダＡＧ１においてトラックＴＫ１が選択中である場合（つまり、再生操作を行うとトラックＴＫ１から再生される状態である場合）に、ライト操作を行うと、トラックＴＫ２が選択される状態となる。
従ってユーザーは、停止中には、レフト操作やライト操作で現在のオーディオデータフォルダ（グループ）内の任意のトラックを指定できるものとなる。
＜Ｓ３２：停止中のアップ操作／ダウン操作＞
停止中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。例えば図６のオーディオデータフォルダＡＧ２が選択されているときに、ユーザーはアップ操作やダウン操作を行うことで、選択状態をオーディオデータフォルダＡＧ１やオーディオデータフォルダＡＧ３に変更させることができる。
＜Ｓ３３：停止中のジョグ操作＞
停止中にジョグ操作が行われた場合、ＣＰＵ３０はその操作をトリガとして表示状態をフォルダ内トラック一覧に切り換える。例えばＣＰＵ３０は、オーディオデータフォルダＡＧ１が選択されている状態でジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。
【００５２】
＜Ｓ３４：フォルダ内トラック一覧からのストップ／キャンセル操作＞
フォルダ内トラック一覧表示を行っているときに、ストップ／キャンセルキー７が押された場合、ＣＰＵ３０はそれを一覧表示の終了と判断し、表示部４の表示を停止中の表示状態に戻す。
＜Ｓ３５：フォルダ内トラック一覧からのジョグ操作／アップ操作／ダウン操作＞
フォルダ内トラック一覧表示を行っているときに、ジョグ操作／アップ操作／ダウン操作が行われたら、ＣＰＵ３０はそれらをカーソル移動操作として処理し、トラック一覧表示上でカーソル移動を行う。例えばジョグ操作として右回り操作はトラックナンバが進む方向へのカーソル移動、ジョグ操作として左回り操作はトラックナンバが戻る方向へのカーソル移動、アップ操作はトラックナンバが戻る方向へのカーソル移動、ダウン操作はトラックナンバが進む方向へのカーソル移動、などとして表示上でのカーソル移動制御を行うことになる。
＜Ｓ３６：フォルダ内トラック一覧からのレフト操作＞
フォルダ内トラック一覧表示を行っているときに、レフト操作が行われたら、ＣＰＵ３０はその操作をトリガとして、表示状態をフォルダ一覧に切り換える。この場合、ＣＰＵ３０は、表示部に、オーディオデータフォルダＡＧ１、ＡＧ２・・・の一覧表示を実行させる。
【００５３】
＜Ｓ３７：フォルダ一覧からのジョグ操作／アップ操作／ダウン操作＞
フォルダ一覧表示を行っているときに、ジョグ操作／アップ操作／ダウン操作が行われたら、ＣＰＵ３０はそれらをカーソル移動操作として処理し、フォルダ一覧表示上でカーソル移動を行う。例えばジョグ操作として右回り操作はオーディオデータフォルダのフォルダナンバが進む方向へのカーソル移動、ジョグ操作として左回り操作はフォルダナンバが戻る方向へのカーソル移動、アップ操作はフォルダナンバが戻る方向へのカーソル移動、ダウン操作はフォルダナンバが進む方向へのカーソル移動、などとして表示上でのカーソル移動制御を行う。
＜Ｓ３８：フォルダ一覧からのライト操作＞
フォルダ一覧表示を行っているときに、ライト操作が行われたら、ＣＰＵ３０はその操作をトリガとして、表示状態をフォルダ内トラック一覧に戻す。このライト操作は、上記Ｓ３６のレフト操作と対になる画面の戻しのための操作となる。
＜Ｓ３９：フォルダ一覧からのプッシュ操作＞
フォルダ一覧表示を行っているときに、プッシュ操作が行われたら、ＣＰＵ３０はそれをフォルダ選択の決定操作として処理する。この場合ＣＰＵ３０は、その時点でフォルダ一覧画面上でカーソルによって選択されているオーディオデータフォルダを、選択されたフォルダとして決定する。そしてフォルダ内トラック一覧表示に戻すわけであるが、このときは、選択決定されたオーディオデータフォルダのトラック一覧表示を行う。例えばオーディオデータフォルダＡＧ２が選択決定されたとすると、トラックＴＫ４，ＴＫ５の一覧表示を行う。
【００５４】
なお、停止状態から再生状態への移行は、図５においてＳ１０の再生操作（集中コントローラ５のプッシュ操作）として行われると述べたが、その図５のＳ１０の再生操作は、図７におけるＳ１０ａ又はＳ１０ｂとなる。
Ｓ１０ａとして停止中にプッシュ操作が行われたら、それがＳ１０の再生操作として再生状態へ移行する。その場合、その時点で選択されているオーディオデータフォルダＡＧ１の先頭トラックからの再生が行われる。
またＳ１０ｂとしてフォルダ内トラック一覧表示中にプッシュ操作が行われたら、それがＳ１０の再生操作として再生状態へ移行する。その場合、その時点で、表示上でカーソルで選択されているトラックからの再生が行われる。
【００５５】
［７．再生状態での動作］
次に、オーディオモードの再生状態においてユーザーの操作に応じて行われる動作を図８に示す。図８では、ユーザーの操作に応じた動作をＳ４１〜Ｓ５７で示している。
再生状態では、図示するように「再生中」「一時停止中」「フォルダ内トラック一覧」「フォルダ一覧」という各状態がある。
「再生中」はオーディオデータ（図６のトラックＴＫ１等）の再生が行われている状態、「一時停止中」は、オーディオデータの再生が一時停止されている状態、「フォルダ内トラック一覧」は表示部４において、現在選択中のオーディオデータフォルダＡＧ（ｘ）に含まれるトラックが一覧表示されている状態、「フォルダ一覧」は表示部にオーディオデータフォルダＡＧ１、ＡＧ２・・・が一覧表示されている状態である。ここでの「フォルダ内トラック一覧」「フォルダ一覧」は、再生又は一時停止が継続されている状態である。
【００５６】
＜Ｓ４１：再生中のプッシュ操作＞
再生中にプッシュ操作が行われたら、ＣＰＵ３０は、再生動作（再生音声出力）を一時停止させる。
＜Ｓ４２：再生中のレフト操作／ライト操作＞
再生中にレフト操作／ライト操作が行われた場合、ＣＰＵ３０は、それをトラックジャンプ操作（この場合は頭出し操作）として処理する。レフト操作のときは戻り方向への頭出しジャンプとして、またライト操作の時は再生進行方向への頭出しジャンプとして、それぞれメディアドライブ部３４やメモリインターフェース３６を制御し、頭出し再生を実行させる。
なお、図８では省略したが、再生中に長押しとしてのレフト操作／ライト操作が行われた場合、ＣＰＵ３０は、それをレビュー再生操作、キュー再生操作として扱い、メディアドライブ部３４やメモリインターフェース３６を制御して、早戻し再生、早送り再生を実行させる。
＜Ｓ４３：再生中のアップ操作／ダウン操作＞
再生中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。
この場合ＣＰＵ３０は、アップ操作／ダウン操作によってオーディオデータフォルダの選択を切り換えると共に、直ぐに再生音声出力を新たなオーディオデータフォルダの先頭のトラックから実行させるように制御しても良いが、アップ操作／ダウン操作については例えば表示上でオーディオデータフォルダ名を切り換えていくものとし、例えばその後のプッシュ操作でオーディオデータフォルダが決定されたことによって、再生音声出力を、その決定されたオーディオデータフォルダの先頭トラックの再生音声に切り換えるように制御してもよい。
＜Ｓ４４：再生中のジョグ操作＞
再生中にジョグ操作が行われた場合、ＣＰＵ３０はその操作をトリガとして表示状態をフォルダ内トラック一覧に切り換える。例えばＣＰＵ３０は、オーディオデータフォルダＡＧ１内の或るトラックの再生中にジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。なお、このとき再生音声出力は継続させている。
【００５７】
＜Ｓ４５：一時停止中のプッシュ操作＞
一時停止中にプッシュ操作が行われたら、ＣＰＵ３０は、一時停止を終了させ、再生動作（再生音声出力）を再開させる。
＜Ｓ４６：一時停止中のレフト操作／ライト操作＞
一時停止中にレフト操作／ライト操作が行われた場合、ＣＰＵ３０は、それをトラックジャンプ操作（この場合は一時停止状態での頭出し操作）として処理する。レフト操作のときは戻り方向への頭出しジャンプとして、またライト操作の時は再生進行方向への頭出しジャンプとして、メディアドライブ部３４にトラック先頭位置へのアクセスを実行させる。
なお、図８では省略したが、一時停止中に長押しとしてのレフト操作／ライト操作が行われた場合、ＣＰＵ３０は、それを早戻し操作、早送り操作として扱い、メディアドライブ部３４を制御して、早戻し、早送りを実行させる。
＜Ｓ４７：一時停止中のアップ操作／ダウン操作＞
一時停止中にアップ操作／ダウン操作が行われた場合、ＣＰＵ３０は、それをオーディオデータフォルダの移動操作（フォルダジャンプ操作）として処理する。例えばアップ操作は前のオーディオデータフォルダへのジャンプ、ダウン操作は次のオーディオデータフォルダへのジャンプとする。そしてオーディオデータフォルダの選択が切り換えられた状態で一時停止の解除（プッシュ操作）を待機する。プッシュ操作により再生を再開するときは、アップ操作／ダウン操作で切り換えられたオーディオデータフォルダの先頭トラックからの再生を行うことになる。
＜Ｓ４８：一時停止中のジョグ操作＞
一時停止中にジョグ操作が行われた場合、ＣＰＵ３０はその操作をトリガとして表示状態をフォルダ内トラック一覧に切り換える。例えばＣＰＵ３０は、オーディオデータフォルダＡＧ１内の或るトラックの一時停止中にジョグ操作を検出したら、そのオーディオデータフォルダＡＧ１に含まれるトラックＴＫ１，ＴＫ２，ＴＫ３の名称（曲名）又はトラックナンバを表示部４に一覧表示させる。或いは、上記Ｓ４７のアップ操作／ダウン操作で選択中のオーディオデータフォルダが切り換えられた後にジョグ操作が行われたら、その切り換えられたオーディオデータフォルダに含まれるトラックの一覧表示を実行させる。
【００５８】
＜Ｓ４９：フォルダ内トラック一覧からのレフト操作＞
フォルダ内トラック一覧表示を行っているときに、レフト操作が行われたら、ＣＰＵ３０はその操作をトリガとして、表示状態をフォルダ一覧に切り換える。この場合、ＣＰＵ３０は、表示部に、オーディオデータフォルダＡＧ１、ＡＧ２・・・の一覧表示を実行させる。
＜Ｓ５０：フォルダ内トラック一覧からのジョグ操作／アップ操作／ダウン操作＞
フォルダ内トラック一覧表示を行っているときに、ジョグ操作／アップ操作／ダウン操作が行われたら、ＣＰＵ３０はそれらをカーソル移動操作として処理し、トラック一覧表示上でカーソル移動を行う。例えばジョグ操作として右回り操作はトラックナンバが進む方向へのカーソル移動、ジョグ操作として左回り操作はトラックナンバが戻る方向へのカーソル移動、アップ操作はトラックナンバが戻る方向へのカーソル移動、ダウン操作はトラックナンバが進む方向へのカーソル移動、などとして表示上でのカーソル移動制御を行うことになる。
＜Ｓ５１：再生中のフォルダ内トラック一覧からのプッシュ操作＞
上記Ｓ４４として再生中のジョグ操作でフォルダ内トラック一覧表示を実行させた後において、プッシュ操作が行われた場合、ＣＰＵ３０は一覧表示上のカーソルで選択されているトラックの再生指示と判断し、該選択されたトラックの再生を開始させるようにメディアドライブ部３４及びメモリインターフェース３６を制御する。再生音声出力は、それまで再生されていたトラックの再生音声から、新たに選択されたトラックの再生音声に切り換えられることになる。
＜Ｓ５２：再生中のフォルダ内トラック一覧からのストップ／キャンセル操作＞
上記Ｓ４４として再生中のジョグ操作でフォルダ内トラック一覧表示を実行させた後に、ストップ／キャンセルキー７が押された場合、ＣＰＵ３０はそれを一覧表示の終了と判断し、表示部４の表示を再生中の表示状態に戻す。再生音声出力はそのまま継続されている。
＜Ｓ５３：一時停止中のフォルダ内トラック一覧からのプッシュ操作＞
上記Ｓ４８として一時停止中のジョグ操作でフォルダ内トラック一覧表示を実行させた後において、プッシュ操作が行われた場合、ＣＰＵ３０は一覧表示上のカーソルで選択されているトラックの選択状態が決定されたと判断し、該選択されたトラックの再生を開始できる状態で一時停止を継続する。メディアドライブ部３４及びメモリインターフェース３６に対しては、一時停止解除時点で、新たに選択されたトラックが再生されるように制御する。
＜Ｓ５４：一時停止中のフォルダ内トラック一覧からのストップ／キャンセル操作＞
上記Ｓ４８として一時停止中のジョグ操作でフォルダ内トラック一覧表示を実行させた後に、ストップ／キャンセルキー７が押された場合、ＣＰＵ３０はそれを一覧表示の終了と判断し、表示部４の表示を一時停止中の表示状態に戻す。一時停止状態はそのまま継続される。
【００５９】
＜Ｓ５５：フォルダ一覧からのジョグ操作／アップ操作／ダウン操作＞
フォルダ一覧表示を行っているときに、ジョグ操作／アップ操作／ダウン操作が行われたら、ＣＰＵ３０はそれらをカーソル移動操作として処理し、フォルダ一覧表示上でカーソル移動を行う。例えばジョグ操作として右回り操作はオーディオデータフォルダのフォルダナンバが進む方向へのカーソル移動、ジョグ操作として左回り操作はフォルダナンバが戻る方向へのカーソル移動、アップ操作はフォルダナンバが戻る方向へのカーソル移動、ダウン操作はフォルダナンバが進む方向へのカーソル移動、などとして表示上でのカーソル移動制御を行う。
＜Ｓ５６：フォルダ一覧からのライト操作＞
フォルダ一覧表示を行っているときに、ライト操作が行われたら、ＣＰＵ３０はその操作をトリガとして、表示状態をフォルダ内トラック一覧に戻す。このライト操作は、上記Ｓ４９のレフト操作と対になる画面の戻しのための操作となる。
＜Ｓ５７：フォルダ一覧からのプッシュ操作＞
フォルダ一覧表示を行っているときに、プッシュ操作が行われたら、ＣＰＵ３０はそれをフォルダ選択の決定操作として処理する。この場合ＣＰＵ３０は、その時点でフォルダ一覧画面上でカーソルによって選択されているオーディオデータフォルダを、選択されたフォルダとして決定する。そしてフォルダ内トラック一覧表示に戻すわけであるが、このときは、選択決定されたオーディオデータフォルダのトラック一覧表示を行う。例えばオーディオデータフォルダＡＧ２が選択決定されたとすると、トラックＴＫ４，ＴＫ５の一覧表示を行う。
【００６０】
［８．写真閲覧状態での動作例Ｉ］
次にカメラモードの写真閲覧状態での動作を説明する。なお、特にジョグ操作に対する動作処理例として各種の例を、動作例Ｉ〜IIIとして、それぞれ説明する。
まず、動作例Ｉを図９，図１０，図１１，図１２を用いて説明する。
図９は、写真閲覧状態における操作に応じた動作をＳ６１，Ｓ６２，Ｓ６３及びＳ７１，Ｓ７２，Ｓ７３で示している。
写真閲覧状態では、図９に示すように「一枚表示」と「サムネイル表示」という各状態がある。
「一枚表示」は、撮像データとしての或る１枚が表示部４０にフル画面表示されている状態である。例えば図１０（ａ）には、図６に示した画像データフォルダＣＦ２における撮像データＤＴｃ２０１の画像が「一枚表示」されている例を示している。
「サムネイル表示」は、複数の撮像データのサムネイル画像が表示部４に表示されている状態であり、その表示状態の例を図１０（ｃ）に示している。これは画像データフォルダＣＦ２における撮像データＤＴｃ２０１〜ＤＴｃ２０９の９枚の画像に対応するそれぞれのサムネイル画像が表示されている例である。このサムネイル表示するときの画像データは、例えば画像データフォルダＣＦ２内のサムネイルファイルＴＭ２０１から読み出した画像データである。
また上述した図５においてＳ１６，Ｓ１９として説明したように、撮像スタンバイ状態と写真閲覧状態の遷移はレンズカバー１５の開閉に応じて行われる。Ｓ１６のレンズカバー１５を閉じる操作に応じて撮像スタンバイ状態から写真閲覧状態に移行したときは、図９に示すように、写真閲覧状態において一枚表示が実行される状態となる。
【００６１】
＜Ｓ６１：一枚表示実行中のジョグ操作＞
一枚表示中にジョグ操作が行われたら、ＣＰＵ３０は、それをトリガとしてサムネイル表示に切り換える処理を行う。即ち、その時点で一枚表示していた撮像データが含まれる画像データフォルダ内のサムネイルファイルなどを用いたサムネイル画像表示を行う。
例えば図１０（ａ）のように画像データフォルダＣＦ２の撮像データＤＴｃ２０１の一枚表示を行っていたときにプッシュ操作が行われた場合、図１０（ｃ）のように、その画像データフォルダＣＦ２に含まれるサムネイルファイルＴＭ２０１の再生画像としてのサムネイル表示を行う。
なお、これらは上述した図６のように画像データフォルダ内にサムネイルファイルが生成されている場合であるが、サムネイルファイルが生成されないシステムの場合は、各撮像データＤＴｃ内に含まれるサムネイル画像を抽出して表示すればよい。
ところで、或る撮像データの１枚表示中にサムネイル表示に移行したとき、例えばその１枚表示における撮像データを先頭として、複数のサムネイル画像を表示してもよいし、その１枚表示の撮像データが含まれる画像データフォルダにおける先頭からの撮像データのサムネイル画像を表示してもよい。
またこれらのときに、画像データフォルダ単位でサムネイル画像の表示を完結させても良いし、画像データフォルダの単位に関わりなく、例えば前後の画像データフォルダ内の撮像データも順番に連続するものとして、それらの撮像データのサムネイル画像を表示しても良い。
【００６２】
＜Ｓ６２：一枚表示実行中のレフト操作／ライト操作＞
一枚表示中にレフト操作／ライト操作が行われたら、ＣＰＵ３０は、一枚表示を行う撮像データを前後に切り換える処理を行う。レフト操作で１つ前の撮像データ、ライト操作で次の撮像データに切り換える。例えば図１０（ａ）のように画像データフォルダＣＦ２の撮像データＤＴｃ２０１の一枚表示を行っていたときにライト操作が行われた場合、図１０（ｂ）のように、次の撮像データＤＴｃ２０２の再生画像が表示されるようにする。
なお、ここでいう前後は、画像データフォルダ内で完結しても良いし、画像データフォルダをまたがって前後としても良い。画像データフォルダ内で完結させる場合としては、例えば画像データフォルダＣＦ２の先頭の撮像データＤＴｃ２０１の一枚表示を行っていたときにレフト操作が行われて１つ前の画像を表示させる際には、その１つ前の画像は、一巡して画像データフォルダＣＦ２の最後の撮像データとしても良いし、或いは画像データフォルダＣＦ２に１つ前の撮像データが存在しないことから画像の切り換えを行わない（操作を無効とする）ようにしてもよい。
また、画像データフォルダを連続的にまたがって扱う場合は、画像データフォルダＣＦ２の先頭の撮像データＤＴｃ２０１の一枚表示を行っていたときにレフト操作が行われたら、１つ前の画像として、前の画像データフォルダＣＦ１の最後の撮像データとする。
【００６３】
＜Ｓ６３：一枚表示実行中のアップ操作／ダウン操作＞
一枚表示中にアップ操作／ダウン操作が行われたら、ＣＰＵ３０は、フォルダジャンプを行って表示する画像を切り換える処理を行う。例えばアップ操作で前の画像データフォルダにジャンプし、ダウン操作で次の画像データフォルダにジャンプさせる。
例えば図１０（ａ）のように撮像データＤＴｃ２０１等、画像データフォルダＣＦ２内の撮像データの一枚表示を行っていたときにダウン操作が行われたら、ＣＰＵ３０は、次の画像データフォルダＣＦ３へのジャンプ処理を行い、図１３（ｄ）のように画像データフォルダＣＦ３の先頭の撮像データＤＴｃ３０１の再生画像を一枚表示させるように制御する。
また同じく図１０（ａ）のように撮像データＤＴｃ２０１等、画像データフォルダＣＦ２内の撮像データの一枚表示を行っていたときにアップ操作が行われたら、ＣＰＵ３０は、前の画像データフォルダＣＦ１へのジャンプ処理を行い、画像データフォルダＣＦ１の先頭の撮像データＤＴｃ１０１の再生画像を一枚表示させるように制御する。
【００６４】
＜Ｓ７１：サムネイル表示中のプッシュ操作＞
サムネイル表示中にプッシュ操作が行われたら、ＣＰＵ３０は、それをトリガとしてサムネイル表示から一枚表示に切り換える処理を行う。サムネイル表示においては、例えば図１０（ｃ）（ｅ）に示すようにカーソルＫによって、複数の画像の中の１つを選択できるようにしている。サムネイル表示中にプッシュ操作が行われた場合、その時点でカーソルＫによって選択されている画像の一枚表示に切り換えることになる。例えば図１０（ｃ）においてカーソルＫで撮像データＤＴｃ２０１が選択されていたとすると、図１０（ａ）のような撮像データＤＴｃ２０１の一枚表示に切り換える。また図１０（ｅ）でカーソルＫによって選択されているのが撮像データＤＴｃ２０８であるとしたら、その撮像データＤＴｃ２０８の一枚表示に切り換える。
【００６５】
＜Ｓ７２：サムネイル表示中のストップ／キャンセル操作＞
サムネイル表示中にストップ／キャンセルキー７の操作が行われたら、ＣＰＵ３０は、それをトリガとしてサムネイル表示から一枚表示に切り換える処理を行う。但しこの場合は、サムネイル画面上でのカーソルＫによる選択をキャンセルするものとし、サムネイル表示に移行する直前の一枚表示に戻ることになる。例えば図１０（ａ）の撮像データＤＴｃ２０１の一枚表示から図１０（ｃ）のサムネイル表示に移行した後、カーソル移動操作が行われて図１０（ｅ）のようにカーソルＫが撮像データＤＴｃ２０８の位置になっていたとしても、ストップ／キャンセル操作が行われたら、元の図１０（ａ）の一枚表示の状態に戻すようにする。
【００６６】
＜Ｓ７３：サムネイル表示中のジョグ／アップ／ダウン／レフト／ライト操作＞
サムネイル表示中に、ジョグ操作／アップ操作／ダウン操作／レフト操作／ライト操作が行われたら、ＣＰＵ３０はそれらをサムネイル表示上のカーソル移動操作として処理する。例えばジョグ操作として右回り操作は図１０（ｃ）（ｅ）のような例えば９画像分のサムネイル画像上の順方向のカーソル移動、ジョグ操作として左回り操作はサムネイル画像上の逆方向のカーソル移動、アップ操作は上方向のカーソル移動、ダウン操作は下方向へのカーソル移動、レフト操作は左方向へのカーソル移動、ライト操作は右方向へのカーソル移動として、それぞれ表示上でのカーソルＫの移動制御を行う。なお、例えば図１０（ｃ）（ｅ）のようにサムネイル表示は９画像としているが、もちろん撮像データＤＴｃとして１０個以上が記録されている場合、サムネイル表示はカーソル移動に応じて表示されるサムネイル画像を切り換えていくことになる。
【００６７】
この図９のような動作を実現するためのＣＰＵ３０の処理を図１１に示す。なお、図１１は、写真閲覧状態において図９で説明した動作のみについての処理を示している。例えば撮像スタンバイ状態への状態遷移の処理などは省略している。
ステップＦ１０１は、一枚表示として或る撮像データを表示する処理を示している。ＣＰＵ３０は、この一枚表示中にはステップＦ１０２，Ｆ１０３，Ｆ１０４でアップ操作／ダウン操作、レフト操作／ライト操作、ジョグ操作をそれぞれ監視している。
アップ操作又はダウン操作が検出された場合は、ＣＰＵ３０はステップＦ１０２からＦ１０５に進み、上記Ｓ６３で説明したフォルダジャンプ処理を行って一枚表示させる画像の選択を切り換え、ステップＦ１０１に戻ってフォルダジャンプによって新たに選ばれた撮像データの画像を表示させる。
レフト操作又はライト操作が検出された場合は、ＣＰＵ３０はステップＦ１０３からＦ１０６に進み、上記Ｓ６２で説明した前又は後の撮像データに切り換える処理を行ない、ステップＦ１０１に戻って前又は後の撮像データの一枚表示を表示させる。
ジョグ操作が検出された場合は、ＣＰＵ３０はステップＦ１０４からＦ１０７に進み、上記Ｓ６１として説明したように、サムネイル表示を実行させる。
【００６８】
サムネイル表示中にはＣＰＵ３０は、ステップＦ１０８，Ｆ１０９，Ｆ１１０で、カーソル移動操作（ジョグ操作／アップ操作／ダウン操作／レフト操作／ライト操作）、プッシュ操作、ストップ／キャンセルキー７の操作をそれぞれ監視している。
カーソル移動操作（ジョグ操作／アップ操作／ダウン操作／レフト操作／ライト操作）が検出された場合は、上記Ｓ７３の処理を行う。即ちＣＰＵ３０はステップＦ１０８からＦ１１１に進み、サムネイル表示上で、その操作に応じた方向にカーソルＫを移動させる（場合によってはサムネイル画像の切り換えやスクロール処理を伴う）処理を行う。
プッシュ操作が検出された場合は、上記Ｓ７１で説明した処理を行うため、ＣＰＵ３０はステップＦ１０９からＦ１１２に進み、まずその時点でカーソルＫで選択されたいる撮像データの選択を確定させる。そしてステップＦ１０１に進み、カーソルＫで選択された撮像データの一枚表示を実行させる。
ストップ／キャンセルキー７の操作が検出された場合は、上記Ｓ７２の処理として、ＣＰＵ３０はステップＦ１１０からＦ１０１に進み、サムネイル表示に移行する前の撮像データの一枚表示に戻す。
【００６９】
以上の処理による動作例Ｉにおいては、ユーザーは１枚表示の状態からサムネイル画像を表示させることと、そのサムネイル画像上でカーソル移動（画像選択）させることをジョグ操作によって連続的に行うことができる。
即ちステップＦ１０４でジョグ操作が検知されたら、ＣＰＵ３０はステップＦ１０７でサムネイル表示を実行させるが、続いてジョグ操作が検知されていれば、ステップＦ１０８からＦ１１１に進んでカーソル移動を実行させる。
図１２にジョグ操作の検知に対するＣＰＵ３０の入力判断を示している。
ユーザーが集中コントローラ５の外周部（ジョグダイヤル）を回転させることでジョグ操作が行われるが、仮に、ジョグダイヤルは１周につき１４クリックが設定され、１周で１４波の操作信号が発生されるとする。この場合、ジョグダイヤルが約２６°の角度回転される毎に、ＣＰＵ３０に対してジョグ操作信号が入力されるが、このジョグ操作信号を図１２においてＪ１，Ｊ２・・・として示している。
ＣＰＵ３０は、１枚表示中にジョグ操作信号Ｊ１を検知した場合、そのジョグ操作信号Ｊ１をサムネイル表示へのトリガ操作と判断し、上記のようにステップＦ１０４からＦ１０７に進む。
続いてジョグ操作信号Ｊ２，Ｊ３・・・と連続してジョグ操作信号を検知したら、それらをサムネイル表示上でのカーソル移動操作と判断して、各ジョグ操作信号に応じてステップＦ１１１でカーソル移動処理を行うことになる。
このようにすることで、ユーザーは、サムネイル画像を表示させることと、サムネイル画像上でのカーソル移動をジョグ操作のみで連続的に行うことができる。
【００７０】
［９．写真閲覧状態での動作例II］
動作例IIを図１３，図１４で説明する。写真閲覧状態での動作遷移は上記図９と同様であるが、上記動作例ＩにおいてＣＰＵ３０が図１２のようにジョグ操作信号に対する入力判断を行うと、場合によっては、ユーザーがカーソル操作をしにくいと感じることがある。例えば、１枚表示中にジョグダイヤルを素早く回転させた場合、ＣＰＵ３０は図１２のジョグ操作信号Ｊ１をサムネイル表示へのトリガとして処理した後、連続的に検知される以降のジョグ操作信号Ｊ２，Ｊ３・・・をそれぞれ１つのカーソル移動操作と認識してカーソル移動を行ってしまう。つまり、ユーザーがジョグを素早く大きい角度回転させると、ユーザーにとっては、サムネイル表示上で、カーソルが或る程度進んだ状態にまでなってしまうことになる。これは、例えばサムネイル表示上で先頭のサムネイル画像から順番にカーソルを移動させていきたいと思った場合に不便を感じることがある。
例えば、ジョグダイヤルの回転がクリック感を伴うものであり、ユーザーが１クリックでトリガ、２クリック目以降をカーソル移動と明確に認識できるようにすれば上記動作例Ｉの処理でも問題ないが、特にクリック感を伴わずに回転されるような操作子の場合、上記のような不便が生じやすい。
【００７１】
そこで、動作例IIでは、サムネイル表示へのトリガとなるジョグ操作信号Ｊ１に続いて検知されるジョグ操作信号について不感帯を設けるようにする。これを図１４に示す。
例えばサムネイル表示へのトリガ操作があった直後、２００ｍｓｅｃをジョグ操作信号についての不感帯とする。今、ユーザーのジョグ操作によって、例えば５０ｍｓｅｃ間隔でジョグ操作信号が検知されたとすると、図１４のジョグ操作信号Ｊ２〜Ｊ５が、ジョグ操作信号Ｊ１の検知後２００ｍｓｅｃ以内のジョグ操作信号となる。
このような場合、ＣＰＵ３０は最初のジョグ操作信号Ｊ１をサムネイル表示へのトリガと判断し、続くジョグ操作信号Ｊ２〜Ｊ５については無効操作として無視する。
そして２００ｍｓｅｃ経過後のジョグ操作信号Ｊ６以降を、カーソル移動操作として判断するものとする。
【００７２】
ＣＰＵ３０の処理は図１３のようになる。なお、図１３においてステップＦ２０１〜２０６は、図１１のステップＦ１０１〜Ｆ１０６と同様であるため説明を省略する。
一枚表示中にジョグ操作が検出された場合は、ＣＰＵ３０はステップＦ２０４からＦ２０７に進み、サムネイル表示を実行させる。
サムネイル表示中にはＣＰＵ３０は、ステップＦ２０８でジョグ操作を監視し、ステップＦ２０９でアップ操作／ダウン操作／レフト操作／ライト操作を監視する。またステップＦ２１０でプッシュ操作、ステップＦ２１１でストップ／キャンセルキー７の操作をそれぞれ監視する。
【００７３】
ステップＦ２１０でプッシュ操作が検出された場合にステップＦ２１４に進み、その時点でカーソルＫで選択されたいる撮像データの選択を確定させ、ステップＦ２０１に進んでカーソルＫで選択された撮像データの一枚表示を実行させることは図１１と同様である。またストップ／キャンセルキー７の操作が検出された場合は、ＣＰＵ３０はステップＦ２１１からＦ２０１に進み、サムネイル表示に移行する前の撮像データの一枚表示に戻すことも同様である。
【００７４】
カーソル移動操作としてジョグ操作以外、つまりアップ操作／ダウン操作／レフト操作／ライト操作が検出された場合は、ＣＰＵ３０はステップＦ２０９からＦ２１３に進み、サムネイル表示上で、その操作に応じた方向にカーソルＫを移動させる。
同じくカーソル移動操作であるが、ジョグ操作がステップＦ２０８で検知された場合は、ＣＰＵ３０はステップＦ２１２に進み、そのジョグ操作が、サムネイル表示へのトリガとなるジョグ操作入力（つまりステップＦ２０４で検知したジョグ操作）から所定時間以内のジョグ操作入力であるか否かを判断する。所定時間とは例えば図１４の２００ｍｓｅｃである。
もし、検出されたジョグ操作が所定時間以内であれば、ステップＦ２１２からＦ２０９に進む。つまりそのジョグ操作を無効として扱う。
一方、検出されたジョグ操作が所定時間を経過した以降であれば、ステップＦ２１２からＦ２１３に進み、有効なカーソル移動操作として、そのジョグ操作の方向に応じたカーソルＫの移動処理を行う。
このような処理をおこなうことで、図１４で説明したように、ジョグ操作によるサムネイル表示への移行時に、所定時間だけジョグ操作を無効とする動作が実行される。
【００７５】
［１０．写真閲覧状態での動作例III］
動作例IIIを図１５，図１６で説明する。これも写真閲覧状態での動作遷移は上記図９と同様である。この動作例IIIも、上記動作例IIと同様に、カーソル移動操作をやりやすくするものである。
この場合、図１６に示すようにサムネイル表示へのトリガとなるジョグ操作信号Ｊ１に続いて検知されるジョグ操作信号Ｊ２，Ｊ３については、それらを無効とする。そして、例えば１５０ｍｓｅｃ以上、ジョグ操作が検知されない期間をおいて、その後のジョグ操作があった場合に、それをカーソル移動操作と判断する。図１４の場合、ジョグ操作信号Ｊ４以降が、カーソル移動操作とされることになる。
１５０ｍｓｅｃ以上のジョグ操作が検知されない期間というのは、ユーザーがジョグダイヤルの回転を一瞬止めた場合などに相当する。つまり、最初のジョグダイヤルの回転はサムネイル表示へのトリガ操作とし、その後ユーザーがジョグダイヤルの回転を一瞬止めた後におけるジョグダイヤルの回転を、カーソル移動操作とする。
【００７６】
ＣＰＵ３０の処理は図１５のようになる。なお、図１５においてステップＦ３０１〜３０６は、図１１のステップＦ１０１〜Ｆ１０６と同様であるため説明を省略する。
一枚表示中にジョグ操作が検出された場合は、ＣＰＵ３０はステップＦ３０４からＦ３０７に進み、サムネイル表示を実行させる。
サムネイル表示中にはＣＰＵ３０は、ステップＦ３０８でジョグ操作を監視し、ステップＦ３０９でアップ操作／ダウン操作／レフト操作／ライト操作を監視する。またステップＦ３１０でプッシュ操作、ステップＦ３１１でストップ／キャンセルキー７の操作をそれぞれ監視する。
【００７７】
ステップＦ３１０でプッシュ操作が検出された場合にステップＦ３１４に進み、その時点でカーソルＫで選択されたいる撮像データの選択を確定させ、ステップＦ３０１に進んでカーソルＫで選択された撮像データの一枚表示を実行させることは図１１と同様である。またストップ／キャンセルキー７の操作が検出された場合は、ＣＰＵ３０はステップＦ３１１からＦ３０１に進み、サムネイル表示に移行する前の撮像データの一枚表示に戻すことも同様である。
【００７８】
カーソル移動操作としてジョグ操作以外、つまりアップ操作／ダウン操作／レフト操作／ライト操作が検出された場合は、ＣＰＵ３０はステップＦ３０９からＦ３１３に進み、サムネイル表示上で、その操作に応じた方向にカーソルＫを移動させる。
同じくカーソル移動操作であるが、ジョグ操作がステップＦ３０８で検知された場合は、ＣＰＵ３０はステップＦ３１２に進み、そのジョグ操作が、サムネイル表示へのトリガとなるジョグ操作入力（つまりステップＦ２０４で検知したジョグ操作）の後、所定時間以上、ジョグ操作信号が検知されない状態が生じた後のジョグ操作信号であるか否かを判断する。所定時間とは例えば図１６の１５０ｍｓｅｃである。
もし、検出されたジョグ操作が、所定時間以上の無入力期間が生ずる前のジョグ操作信号であったら（例えば図１６のジョグ操作信号Ｊ２，Ｊ３）、ステップＦ３１２からＦ３０９に進む。つまりそのジョグ操作を無効として扱う。
一方、検出されたジョグ操作が所定時間以上のジョグ無入力を経た後のジョグ操作信号であったら（例えば図１６のジョグ操作信号Ｊ４，Ｊ５・・・）、ステップＦ３１２からＦ３１３に進み、有効なカーソル移動操作として、そのジョグ操作の方向に応じたカーソルＫの移動処理を行う。
このような処理をおこなうことで、図１６で説明したように、ジョグ操作によるサムネイル表示への移行時に、所定時間のジョグ操作無入力をまって、カーソル移動操作としての有効なジョグ操作とする動作が実行される。
【００７９】
［１１．実施の形態の効果及び変形例］
以上の本実施の形態のオーディオ・カメラ複合装置では、ディスク９０に記録した撮像データを一枚表示させている際に、ジョグ操作によってサムネイル表示に切り換えることができ、さらにそのままジョグ操作を続けることで、サムネイル表示上でのカーソル移動を行うことができる。つまり、ユーザーはサムネイル画像による一覧画像表示への切換と、一覧画像表示上での画像選択（カーソル移動）を１つの操作手段（集中コントローラ１０のジョグダイヤル）の操作で実行できる。これによってユーザーにとっては所望の画像を探していくための操作が非常に容易になるという効果がある。
【００８０】
また、図７，図８で説明したように、ジョグ操作は、オーディオモードにおいてトラックの一覧表示のトリガとなる（Ｓ３３、Ｓ４４、Ｓ４８）とともに、そのトラック一覧表示上でのカーソル移動の操作となる（Ｓ３５、Ｓ５０）。
このため、ジョグ操作は、カメラモードでもオーディオモードでも、同じような意味合いの操作となり、ユーザーが操作機能を理解し易く、操作性向上の観点から適切となる。またジョグ操作（ジョグダイヤル）が、このようにカメラモードとオーディオモードで兼用されることで、複合機能機器としての操作子の削減効果も得られ、その上で操作の煩雑性を招かないため、小型携帯用の機器としても好適となる。
【００８１】
また動作例IIとして説明したように、ＣＰＵ３０は、撮像データを一枚表示させている際にジョグ操作が検出されてサムネイル表示を実行させた場合、そのサムネイル表示へのトリガとなるジョグ操作の時点から一定時間経過後において、ジョグ操作をカーソル移動操作として扱う。
或いは動作例IIIとして説明したように、ＣＰＵ３０は、撮像データを一枚表示させている際にジョグ操作が検出されてサムネイル表示を実行させた場合、ジョグ操作についての一定時間以上の操作未検出期間があった後において、ジョグ操作をカーソル移動操作として扱う。
これらのようにすることによって、ユーザーが予期しないカーソル移動が防止され、より操作性が向上される。例えば必要以上にジョグダイヤルを回しすぎて、サムネイル表示に切り替えられた瞬間にカーソルが進んでしまうといったことがなくなる。
【００８２】
なお、実施の形態における動作例Ｉ〜IIIは、カメラモードにおけるジョグ操作に関して説明したが、動作例II、IIIのようなジョグ操作の不感帯期間を設けることを、オーディオモード時の処理に適用しても良い。つまりトラック一覧表示へのトリガとしてのジョグ操作から不感帯を持って、カーソル移動としてのジョグ操作を判断しても良い。
また、カーソルＫとして移動したが、もちろんカーソルＫの形態は、図１０のような枠カーソル以外に、下線カーソル、ハイライト表示、点滅表示など、どのようなものでもよく、つまり選択中を提示できる態様であればよい。
また、集中コントローラ１０のジョグダイヤルによるジョグ操作を説明したが、独立したジョグダイヤルであったり、トラックボール、シャトル操作子、或いは回転操作子ではない入力キーなどを、一覧表示へのトリガ及び選択中表示の移動のための操作子としてもよい。
【００８３】
また、実施の形態はオーディオ・カメラ複合装置としての例を挙げたが、オーディオ機能の１つとして録音機能を備えたものでも本発明を適用できる。
また、オーディオ機能のないカメラ装置においても本発明を適用できる。
また撮像機能として、動画撮像を行うことのできるカメラ装置でも本発明を適用できる。
さらに、カメラ装置だけでなく、画像再生を行って、一覧表示を実行できる各種の画像再生機器において本発明を適用できる。
【００８４】
また、実施の形態ではオーディオデータや画像データを記録する記録媒体として例えばミニディスク方式のディスク９０を例に挙げたが、ＣＤ（Compact Disc）方式、ＤＶＤ（Digital Versatile Disc）方式、ブルーレイディスク（Blu-Ray Disc）方式等の他の規格の光ディスクが記録媒体として採用されるものでも良い。もちろん、ＨＤＤ（Hard Disc Drive）などの磁気ディスクメディア、或いはフラッシュメモリ等の固体メモリ、固体メモリを内蔵したメモリカード、磁気テープメディアなど、多様な記録媒体を本発明の装置の記録媒体として採用できる。
さらに、オーディオ・カメラ複合装置の場合において、オーディオデータが記録される記録媒体と撮像データが記録される記録媒体が別々に用意される構成も考えられる。
【図面の簡単な説明】
【００８５】
【図１】本発明の実施の形態のオーディオ・カメラ複合装置の正面図、平面図、左側面図、右側面図、底面図、背面図である。
【図２】実施の形態のレンズカバーの開閉状態の説明図である。
【図３】実施の形態のオーディオ・カメラ複合装置のブロック図である。
【図４】実施の形態の集中コントローラの操作機能の説明図である。
【図５】実施の形態の動作状態遷移の説明図である。
【図６】実施の形態のファイル管理形態の説明図である。
【図７】実施の形態の停止状態における各種動作の説明図である。
【図８】実施の形態の再生状態における各種動作の説明図である。
【図９】実施の形態の写真閲覧状態での動作例Ｉの説明図である。
【図１０】実施の形態の写真閲覧状態での表示例の説明図である。
【図１１】実施の形態の写真閲覧状態での動作例Ｉの処理のフローチャートである。
【図１２】実施の形態の写真閲覧状態での動作例Ｉの説明図である。
【図１３】実施の形態の写真閲覧状態での動作例IIの処理のフローチャートである。
【図１４】実施の形態の写真閲覧状態での動作例IIの説明図である。
【図１５】実施の形態の写真閲覧状態での動作例IIIの処理のフローチャートである。
【図１６】実施の形態の写真閲覧状態での動作例IIIの説明図である。
【符号の説明】
【００８６】
１  オーディオ・カメラ複合装置、４  表示部、５  集中コントローラ、１０  カメラオン／オフキー、１１  シャッタボタン、１５  レンズカバー、３０  ＣＰＵ、３４  メディアドライブ部、３５  バッファメモリ、３７  圧縮エンコード／デコード部、３８  カメラ／ＬＣＤブロック、４５  カバー連動スイッチ
【図１】
2006140865.tif 000003
【図２】
2006140865.tif 000004
【図３】
2006140865.tif 000005
【図４】
2006140865.tif 000006
【図５】
2006140865.tif 000007
【図６】
2006140865.tif 000008
【図７】
2006140865.tif 000009
【図８】
2006140865.tif 000010
【図９】
2006140865.tif 000011
【図１０】
2006140865.tif 000012
【図１１】
2006140865.tif 000013
【図１２】
2006140865.tif 000014
【図１３】
2006140865.tif 000015
【図１４】
2006140865.tif 000016
【図１５】
2006140865.tif 000017
【図１６】
2006140865.tif 000018